【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】
被検体にＸ線を照射するＸ線源と、
被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、
Ｘ線を照射しない期間に各モードに応じて前記Ｘ線平面検出器から出力されるデータに基づいて前記Ｘ線画像データをオフセット補正するためのオフセット情報を算出するオフセット情報算出手段と、
前記オフセット情報算出手段によって各モード毎に算出されたオフセット情報をそれぞれ記憶するオフセット情報記憶手段と、
前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、
前記オフセット補正手段により補正された前記Ｘ線画像データに基づいて画像表示する表示手段と、を備え、
前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とするＸ線画像処理装置。
【請求項２】
前記オフセット情報算出手段は、前記複数のモードのうちの何れかのモードにおいて新たにオフセット情報を算出すると、新たに算出したオフセット情報の変動率又は変動量に基づいて前記オフセット情報記憶手段に記憶されている他のモードのオフセット情報を更新させることを特徴とする請求項１に記載のＸ線画像処理装置。
【請求項３】
被検体にＸ線を照射するＸ線源と、
被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、
Ｘ線を照射しない期間に各モードに応じて前記Ｘ線平面検出器から出力される複数画像分のデータを、各画素毎に加算平均することにより、前記Ｘ線画像データをオフセット補正するためのオフセット情報を算出するオフセット情報算出手段と、
前記オフセット情報算出手段によって各モード毎に算出された前記各画素毎のオフセット情報をそれぞれ記憶するオフセット情報記憶手段と、
前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、
前記オフセット補正手段により補正された前記Ｘ線画像データに基づいて画像表示する表示手段と、を備え、
前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とするＸ線画像処理装置。
【請求項４】
被検体にＸ線を照射するＸ線源と、
被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、
Ｘ線を照射しない期間に各モードに応じて前記Ｘ線平面検出器から出力される複数画像分のデータを、各モードにおける前記Ｘ線平面検出器の各読み出しチャンネル毎に加算平均することにより、前記Ｘ線画像データをオフセット補正するためのオフセット情報を算出するオフセット情報算出手段と、
前記オフセット情報算出手段によって各モード毎に算出された前記各読み出しチャンネル毎のオフセット情報をそれぞれ記憶するオフセット情報記憶手段と、
前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、
前記オフセット補正手段により補正された前記Ｘ線画像データに基づいて画像表示する表示手段と、を備え、
前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とするＸ線画像処理装置。
【請求項５】
前記オフセット補正手段は、前記Ｘ線画像データから前記オフセット情報記憶手段に記憶されている前記選択されたモードに対応するオフセット情報を減算し、前記Ｘ線画像データをオフセット補正する、ことを特徴とする請求項１、３または４の一つに記載のＸ線画像処理装置。
【請求項６】
前記オフセット情報を更新する指示を入力する入力手段を更に備え、
前記オフセット情報算出手段は、前記指示が入力されると、前記Ｘ線が前記Ｘ線平面検出器に入射していない状態を設定して前記オフセット情報を新たに算出する、ことを特徴とする請求項１、３または４の一つに記載のＸ線画像処理装置。
【請求項７】
前記複数のモードは、透視モード、中央部透視モード及び撮像モードのうちの異なる二つである、ことを特徴とする請求項１、３または４の一つに記載のＸ線画像処理装置。
【手続補正２】
【補正対象書類名】明細書
【補正対象項目名】００１６
【補正方法】変更
【補正の内容】
【００１６】
【課題を解決するための手段】
前記目的を達成するために、請求項１に係るＸ線画像処理装置は、被検体にＸ線を照射するＸ線源と、被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、Ｘ線を照射しない期間に各モードに応じて前記Ｘ線平面検出器から出力されるデータに基づいて前記Ｘ線画像データをオフセット補正するためのオフセット情報を算出するオフセット情報算出手段と、前記オフセット情報算出手段によって各モード毎に算出されたオフセット情報をそれぞれ記憶するオフセット情報記憶手段と、前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、前記オフセット補正手段により補正された前記Ｘ線画像データに基づいて画像表示する表示手段と、を備え、前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とする。
また、請求項２に係るＸ線画像処理装置は、前記オフセット情報算出手段は、前記複数のモードのうちの何れかのモードにおいて新たにオフセット情報を算出すると、新たに算出したオフセット情報の変動率又は変動量に基づいて前記オフセット情報記憶手段に記憶されている他のモードのオフセット情報を更新させることを特徴とする。
【手続補正３】
【補正対象書類名】明細書
【補正対象項目名】００１７
【補正方法】変更
【補正の内容】
【００１７】
また、請求項３に係るＸ線画像処理装置は、被検体にＸ線を照射するＸ線源と、被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、Ｘ線を照射しない期間に各モードに応じて前記Ｘ線平面検出器から出力される複数画像分のデータを、各画素毎に加算平均することにより、前記Ｘ線画像データをオフセット補正するためのオフセット情報を算出するオフセット情報算出手段と、前記オフセット情報算出手段によって各モード毎に算出された前記各画素毎のオフセット情報をそれぞれ記憶するオフセット情報記憶手段と、前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、前記オフセット補正手段により補正された前記Ｘ線画像データに基づいて画像表示する表示手段と、を備え、前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とする。
また、請求項４に記載のＸ線画像処理装置は、被検体にＸ線を照射するＸ線源と、被検体の透過Ｘ線をＸ線画像データとして出力するＸ線平面検出器であって、複数種類のＸ線画像データを得る複数のモードを有し、前記複数のモードのうちの選択されたモードに対応した種類のＸ線画像データを出力するＸ線平面検出器と、Ｘ線を照射しない期間に各モードに応じて前記Ｘ線平面検出器から出力される複数画像分のデータを、各モードにおける前記Ｘ線平面検出器の各読み出しチャンネル毎に加算平均することにより、前記Ｘ線画像データをオフセット補正するためのオフセット情報を算出するオフセット情報算出手段と、前記オフセット情報算出手段によって各モード毎に算出された前記各読み出しチャンネル毎のオフセット情報をそれぞれ記憶するオフセット情報記憶手段と、前記複数のモードのうちの選択されたモードに応じて前記Ｘ線平面検出器から出力されるＸ線画像データと、前記オフセット情報記憶手段に記憶されている前記選択されたモードに対応するオフセット情報とに基づいて、前記Ｘ線画像データをオフセット補正するオフセット補正手段と、前記オフセット補正手段により補正された前記Ｘ線画像データに基づいて画像表示する表示手段と、を備え、前記オフセット情報算出手段は、前記複数のモードのうちの何れかのモードにおいて新たにオフセット情報を算出すると、この算出した新たなオフセット情報に基づいて前記オフセット情報記憶手段に記憶されている他のモードのオフセット情報を更新させる、ことを特徴とする。
【手続補正４】
【補正対象書類名】明細書
【補正対象項目名】００１８
【補正方法】変更
【補正の内容】
【００１８】
また、請求項５に係るＸ線画像処理装置は、前記オフセット補正手段は、前記Ｘ線画像データから前記オフセット情報記憶手段に記憶されている前記選択されたモードに対応するオフセット情報を減算し、前記Ｘ線画像データをオフセット補正する、ことを特徴とする。
また、請求項６に係るＸ線画像処理装置は、前記オフセット情報を更新する指示を入力する入力手段を更に備え、前記オフセット情報算出手段は、前記指示が入力されると、前記Ｘ線が前記Ｘ線平面検出器に入射していない状態を設定して前記オフセット情報を新たに算出する、ことを特徴とする。
また、請求項７に係るＸ線画像処理装置は、前記複数のモードは、透視モード、中央部透視モード及び撮像モードのうちの異なる二つである、ことを特徴とする。